(57)【要約】  ワークピースの中心がワークピース穴の中心に位置するように、複数のジョー（３０，４０，５０）を同時に移動させ、作動油加圧手段（２０）により増圧した油圧にてワークピースを締付け、その後、他のジョーがワークピースを締付ける。これにより、ワークピースとチャックの中心が一致し、ワークピースが強固に締付けられた状態にて機械加工を行うことができる。【選択図】図２
2009508705.tif 000002
【特許請求の範囲】
【請求項１】
ワークピース穴（１１）を備えた本体、作動油にて満たされた主作動油チャンバー（１２）、および、ワークピース穴（１１）に向って半径方向に形成され且つ前記主作動油チャンバー（１２）と連通する、第１動作作動油チャンバー（１３）と複数の第２動作作動油チャンバー（１４）を有するチャックハウジング（１０）と、
前記主作動油チャンバー（１２）内の作動油を加圧して前記動作作動油チャンバー内の作動油を加圧するために、前記主作動油チャンバー（１２）に取付けられた作動油加圧手段（２０）と、
前記チャックハウジング（１０）に取付けられ、前記ワークピース穴（１１）の中心に向って移動するために前記チャックハウジング（１０）内の前記第１動作作動油チャンバー（１３）に連結された主ジョー（３０）と、
前記チャックハウジング（１０）に取付けられ、前記主ジョー（３０）と同期してワークピース穴（１１）の中心に向って移動するために前記第２動作作動油チャンバー（１４）に連結された同期ジョー（４０）と、
前記チャックハウジング（１０）に取付けられ、前記ワークピース穴（１１）の中心に向って移動するために前記第２動作作動油チャンバー（１４）に連結された複数の動作ジョー（５０）と、
前記作動油加圧手段（２０）により増圧された作動油にて前記ワークピース穴（１１）の中心または前記チャックハウジング（１０）の外側に向って前記第１動作作動油チャンバー（１３）に連結された前記主ジョー（３０）を移動させるために、前記チャックハウジング（１０）内の前記第１動作作動油チャンバー（１３）に取付けられた主ジョー移動手段（６０）と、
前記チャックハウジング（１０）内の前記第２動作作動油チャンバー（１４）に取付けられ、前記主ジョー（３０）と同期して前記ワークピース穴（１１）の中心または前記チャックハウジング（１０）の外側に向って前記同期ジョー（４０）を移動させるために、前記主ジョー移動手段（６０）と連結され同期化された同期ジョー移動手段（７０）と、
前記作動油加圧手段（２０）により増圧された作動油にて前記ワークピース穴（１１）の中心または前記チャックハウジング（１０）の外側に向って前記第２動作作動油チャンバー（１４）に連結された前記ジョーを移動させるために、前記チャックハウジング（１０）内の各前記第２動作作動油チャンバー（１４）に取付けられた前記動作ジョー移動手段（８０）と、
同期化のために前記主ジョー移動手段（６０）を前記同期ジョー移動手段（７０）に接続させる同期移動接続手段（９０）と
を備える工作機械用同期締付チャック。
【請求項２】
前記作動油加圧手段（２０）が、
前記主作動油チャンバー（１２）内に配置された一端と工具とがともに回転するように、前記チャックハウジング（１０）と噛合する外周に全ねじを有する上昇／下降ボルト（２１）、
および、前記上昇／下降ボルト２１の一端に位置し、作動油にて加圧するため前記主作動油チャンバー（１２）の内壁に密着する外周面を有するマスターピストン２２
を含む請求項１に記載の工作機械用同期締付チャック。 
【請求項３】
前記主ジョー移動手段（６０）が、
前記第１動作作動油チャンバー（１３）を閉鎖するために前記チャックハウジング（１０）の後側に位置するカバープレート（６１）、
前記第１動作作動油チャンバー（１３）の内壁に沿って移動するために前記第１動作作動油チャンバー（１３）の内面に密着し、前記カバープレート（６１）を貫通して前記チャックハウジング（１０）の後側に向って突出し前記接続手段に接続される第１突起（６２ａ）を備える本体と、前部が満たさせた前記第１動作作動油チャンバー（１３）の作動油とを有する主ピストン（６２）、
前記第１動作作動油チャンバー（１３）を貫通して前記主ピストン（６２）の前に位置し、前記チャックハウジング（１０）の前面に向って突出し、前記ワークピース穴（１１）の中心に向って傾斜する可動突起（１１０）に備わる一端を有する主ジョー移動バー（６３）、
および、前記主ピストン（６２）を弾性的に支持するために、前記主ピストン（６２）と前記カバープレート（６１）との間に位置する主ピストンリターンスプリング（６４）
を含む請求項１に記載の工作機械用同期締付チャック。 
【請求項４】
前記同期主ジョー移動手段（７０）が、
前記第２動作作動油チャンバー（１４）を閉鎖するために前記チャックハウジング（１０）の後側に位置するカバープレート６１、
前記第２動作作動油チャンバー（１４）の内壁に沿って移動するために前記第２動作作動油チャンバー（１４）の内面に密着し、前記カバープレート（６１）を貫通して前記チャックハウジング（１０）の後側に向って突出し前記接続手段に接続される前記第２突起（７２ａ）を備える本体と、前部が満たさせた前記第２動作作動油チャンバー（１４）の作動油とを有する同期ピストン（７２）、
前記第２動作作動油チャンバー（１４）を貫通して前記同期ピストン（７２）の前に位置し、前記チャックハウジング（１０）の前面に向って突出し、前記ワークピース穴（１１）の中心に向って傾斜する可動突起（１１０）に備わる一端を有する同期ジョー移動バー（７３）、
および、前記同期ピストン（７２）を弾性的に支持するために、前記同期ピストン（７２）と前記カバープレート（６１）との間に位置する同期ピストンリターンスプリング（７４）
を含む請求項１に記載の工作機械用同期締付チャック。
【請求項５】
前記動作ジョー移動手段（８０）が、
前記動作作動油チャンバーを閉鎖するために前記チャックハウジング（１０）の後側に位置するカバープレート（６１）、
前記第２動作作動油チャンバー（１４）の内壁に沿って移動するために前記第２動作作動油チャンバー（１４）の内面に密着する本体と、前部が満たさせた前記主動作作動油チャンバー（１２）の作動油とを有する作動ピストン（８２）、
前記動作作動油チャンバーを貫通して前記作動ピストン（８２）の前に位置し、前記チャックハウジング（１０）の前面に向って突出し、前記ワークピース穴（１１）の中心に向って傾斜する可動突起（１１０）に備わる一端を有する動作ジョー移動バー（８３）、
および、前記動作ピストン（８２）を弾性的に支持するために、前記動作ピストン（８２）と前記カバープレート（６１）との間に位置する動作ピストンリターンスプリング（８４）
を含む請求項１に記載の工作機械用同期締付チャック。
【請求項６】
前記同期移動接続手段（９０）が、前記チャックハウジング（１０）の後側に位置し、ボルト（９２）にて前記主ジョー移動手段（６０）に接続された前記同期ジョー移動手段（７０）に固定された接続プレート（９１）を含む請求項１に記載の工作機械用同期締付チャック。
【発明の詳細な説明】
【技術分野】
【０００１】
本発明は、工作機械用締付チャックに関し、特に、チャックハウジング内に満たされた作動油の油圧により移動するジョーによってワークピースの中心がチャックハウジングの中心と正確に一致するようにワークピースを締付ける工作機械用同期締付チャックに関する。 
【背景技術】
【０００２】
一般に、工作機械用チャックとして、スクロール（連動）チャックが用いられており、レバーにより回転するスクロールの回転にともなって、ワークピースを締付け／緩める方向にジョーが移動する。
【０００３】
図示しないが、スクロールチャックはチャックハウジング内のクロールおよびジョーとチャックカバーを備えており、ギアレバーが回転すると、ベベルギアが回転し、スクロール上のクラウンギアがスクロールをともなって回転し、スクロールの回転方向に応じチャックハウジングの中心またはその反対方向に向ってスクロールと係合する複数のジョーが移動する。
【０００４】
ジョーがチャックハウジングの中心に向って移動しワークピースを保持しているときに、チャックとともにワークピースが回転している間にバイトによってワークピースが機械加工される、または、チャックととともにワークピースが静止している間に回転するバイトによってワークピースが機械加工される。
【０００５】
しかしながら、スクロールチャックにおいては、ジョーにてワークピースを締付け／緩める度毎に作業者が手作業でギアレバーを回転するので使い勝手が優れず作業効率に劣るという問題や、手作業による締付け力は弱いので正確な機械加工を維持することができず、機械加工中にジョーからワークピースが外れ落ちことがあるという問題がある。
【０００６】
これらの問題を解決するために、近年、油圧にて動作する油圧シリンダーによりジョーを移動させる油圧チャックが用いられている。
【０００７】
油圧チャックは、その中にてジョーと係合しそれぞれ所定角傾斜した案内孔を有するウェッジプランジャーを内部に備えており、油圧シリンダーによりウェッジプランジャーを前後に移動させ、ジョーがワークピースのクランプを締付けまたは緩めるように、案内孔に沿ってジョーを移動させる。
【０００８】
本出願と同日に本願出願人が提出した工作機械用多重油圧チャックにかかる出願において、本願出願人は、チャックハウジング内に作動油を蓄え、作動油加圧手段にて作動油を加圧して油圧を増圧させ、複数のジョーをチャックハウジングに向って移動させワークピースを保持することを提案している。
【０００９】
しかしながら、この関連技術である油圧チャックにおいては、ウェッジプランジャーを前後に移動させる油圧シリンダーを移動させるための油圧の供給に必要な方向変換バルブ、油圧ポンプおよび保持タンクを有する油圧装置を必要とするのでコストが高いという問題や、ワークピースとチャックとの中心を正確に一致させて環状のワークピースを締付ける困難さのため環状のワークピースを正確に機械加工することが困難であるという問題がある。 
【００１０】
さらに、本願出願人が提出した工作機械用多重油圧チャックは、チャックハウジング内に保持された作動油を加圧し油圧を増圧する作動油加圧手段を用いた構造であり、作動油加圧手段にて増圧した油圧は作動油加圧手段に最も近接するジョーにまず伝達され、その後、作動油加圧手段からの距離に比例して徐々にジョーに伝達される。
【００１１】
従って、作動油加圧手段にて増圧した油圧のチャックハウジング内のジョーへの伝達が異なるので、ジョーがワークピースを締付けるまでその移動間に僅かな差異があり逐次的にジョーが移動する。その結果、チャックの中心から僅かにずれてワークピースが締付けられるので、ワークピースの機械加工を正確に行うことができず、切削工具にてワークピースの機械加工を行う際に大きな問題が生じる。
【発明の開示】
【発明が解決しようとする課題】
【００１２】
本発明の目的は、かかる問題を解消した工作機械用同期締付チャックを提供することにある。この工作機械用同期締付チャックにおいては、ワークピースの中心がチャックの中心に位置するように、作動油加圧手段にて増圧された油圧により複数のジョーを同期して移動させワークピースを締付け、その後、ワークピースとチャックとの中心が一致した状態でワークピースを強固に固定して正確な機械加工を行うことが可能なように他のジョーがワークピースを締付けており、問題を最小にすることができる。
【課題を解決するための手段】
【００１３】
上記目的および他の利点を達成するために本発明の目的に鑑み、ここに具体化され概して記載されるように、工作機械用同期締付チャックは、ワークピース穴を備えた本体、作動油にて満たされた主作動油チャンバー、および、ワークピース穴に向って半径方向に形成され且つ前記主作動油チャンバーと連通する、第１動作作動油チャンバーと複数の第２動作作動油チャンバーを有するチャックハウジングと、前記主作動油チャンバー内の作動油を加圧して前記動作作動油チャンバー内の作動油を加圧するために、前記主作動油チャンバーに取付けられた作動油加圧手段と、前記チャックハウジングに取付けられ、前記ワークピース穴の中心に向って移動するために前記チャックハウジング内の前記第１動作作動油チャンバーに連結された主ジョーと、前記チャックハウジングに取付けられ、前記主ジョーと同期してワークピース穴の中心に向って移動するために前記第２動作作動油チャンバーに連結された同期ジョーと、前記チャックハウジングに取付けられ、前記ワークピース穴の中心に向って移動するために前記第２動作作動油チャンバーに連結された複数の動作ジョーと、前記作動油加圧手段により増圧された作動油にて前記ワークピース穴の中心または前記チャックハウジングの外側に向って前記第１動作作動油チャンバーに連結された前記主ジョーを移動させるために、前記チャックハウジング内の前記第１動作作動油チャンバーに取付けられた主ジョー移動手段と、前記チャックハウジング内の前記第２動作作動油チャンバーに取付けられ、前記主ジョーと同期して前記ワークピース穴の中心または前記チャックハウジングの外側に向って前記同期ジョーを移動させるために、前記主ジョー移動手段と連結され同期化された同期ジョー移動手段と、前記作動油加圧手段により増圧された作動油にて前記ワークピース穴の中心または前記チャックハウジングの外側に向って前記第２動作作動油チャンバーに連結された前記ジョーを移動させるために、前記チャックハウジング内の各前記第２動作作動油チャンバーに取付けられた前記動作ジョー移動手段と、同期化のために前記主ジョー移動手段を前記同期ジョー移動手段に接続させる同期移動接続手段とを含んでいる。
【００１４】
よって、ワークピースを締付けるために作業者がチャックハウジング内のワークピース 孔にワークピースを配置し、作動油加圧手段を動作させて主作動油チャンバーの作動油を増圧させると、作動油圧は第１動作作動油チャンバーに伝達され、主ジョー移動手段を動作させる。
【００１５】
主ジョー移動手段が動作すると、僅かな時間差もなく同期して主ジョーと同期ジョーとが移動し、ワークピース孔の中心にてワークピースを同期して締付けるように、主作動油チャンバーにて増圧された作動油圧が第２作動油チャンバーに伝達され、同期移動接続手段にて主ジョー移動手段に接続された同期ジョー移動手段が動作する。
【発明を実施するための最良の形態】
【００１６】
添付図面は、本発明がより理解されるように、かつ本発明の原理を説明するために明細書とともに用いられ、本発明の実施形態を示している。
【００１７】
符号は本発明の好適な実施形態に詳細に付されており、その具体例は添付の図面に示されている。
【００１８】
図１は、本発明の好適な実施形態に係る同期締付チャック（同時締付チャック）を示す前面図である。
【００１９】
図１を参照するように、この同期締付チャックは、ワークピース孔に向って半径方向に前面に形成されたジョー案内溝を有するチャックハウジングと、ジョー案内溝にそれぞれ移動可能に取付けられた主ジョー（マスタージョー）、同期ジョー、および動作ジョーとを含んでいる。 
【００２０】
図２は、図１のＡ−Ａ´線断面図であり、作動油加圧手段、主ジョー移動手段、および動作ジョー移動手段を示す。
【００２１】
図３は、図２のＢ−Ｂ´線断面図であり、同期移動接続手段によって主移動手段に接続された同期ジョー移動手段と主移動手段に接続されていない動作ジョー移動手段との比較を示す。 
【００２２】
図４は、本発明の好適な実施形態に係る同期締付チャックを示す背面図であり、同期ジョー移動手段が同期移動接続手段により同期締付チャックの後側にて主ジョー移動手段に接続された状態を示す。
【００２３】
図１を参照するように、本発明のチャックハウジング１０は、その中にワークピースが配置されるワークピース孔１１を中心に有する環状本体、および、後述するように主ジョー３０または動作ジョー５０がその中に各々移動可能に取付けられ、ワークピース孔１１に向って半径方向に形成されたジョー案内溝１５を前面に備えている。
【００２４】
ジョー案内溝１５は、主ジョー３０または動作ジョー５０をその中に配置し、ワークピース孔１１の中心に向かう主ジョー３０または動作ジョー５０の動作を案内する役割を果たす。
【００２５】
図２を参照するように、チャックハウジング１０は、作動油にて満たされ、チャックハウジング１０の外側に開放された主作動油チャンバー１２をその中に備えている。
【００２６】
チャックハウジング１０は、さらに、ワークピース孔１１の中心に向って形成され主作動油チャンバー１２と連通する第１動作作動油チャンバー１３、および、一定間隔を隔ててワークピース孔１１の中心に向って半径方向に形成され第１動作作動油チャンバー１３と連通する第２動作作動油チャンバー１４を備えている。
【００２７】
第１および第２動作作動油チャンバー１３，１４は、チャックハウジング１０内のジョー案内溝１５に対応した数と位置だけチャックハウジング１０内に成形されている。主ジョー３０と動作ジョー５０を移動するために、チャックハウジング１０を後側から前側へ貫通して主ジョー移動手段６０、同期ジョー移動手段７０、および動作ジョー移動手段８０が形成されている。
【００２８】
主作動油チャンバー１２には、主作動油チャンバー１２内の作動油を加圧する作動油加圧手段２０が取付けられており、この作動油加圧手段２０は、主作動油チャンバー１２内に配置された一端と工具とがともに回転するようにチャックハウジング１０と噛合する外周に全ねじを有する上昇／下降ボルト２１、および、上昇／下降ボルト２１の一端に位置し、作動油にて加圧するために主作動油チャンバー１２の内壁に密着する外周面を有するマスターピストン２２を含んでいる。 
【００２９】
上昇／下降ボルト２１は、六角レンチにて回転可能なように六角孔２１ａをその頂部に有している。
【００３０】
マスターピストン２２の外周には、マスターピストン２２と作動油チャンバーとの間を封止するためＯ−リング２２ａが取り付けられている。
【００３１】
よって、作業者がレンチを孔２１ａに配置し、マスターピストン２２が下降する方向に上昇／下降ボルト２１を回転すると、マスターピストン２２は下降し、主作動油チャンバー１２内の作動油は加圧され、作動油の圧力が増圧する。
【００３２】
増圧した油圧は、まず主作動油チャンバー１２と連通する第１動作作動油チャンバー１３に伝達し、そしてこれを通して第２動作作動油チャンバー１４に伝達する。
【００３３】
その間、チャックハウジング１０のジョー案内溝１５内の主ジョー３０は、第１動作作動油チャンバー１３と連結されている。
【００３４】
チャックハウジング１０のジョー案内溝１５内の動作ジョー５０は、それぞれ第２動作作動油チャンバー１４と連結され、同期ジョー４０は、第２動作作動油チャンバー１４の少なくとも１つに連結されている。本実施形態においては、同期ジョー４０は、主ジョー移動手段６０から１２０度間隔をあけた２つの第２動作作動油チャンバー１４に連結されている。
【００３５】
主ジョー３０、同期ジョー４０および動作ジョー５０は、それぞれ、その後面に内側に傾斜する面を有する可動案内孔１００を備えている。主ジョー３０、同期ジョー４０および動作ジョー５０のそれぞれの可動案内孔１００の傾斜面に沿って可動突起１１０が移動するように、可動案内孔１００の傾斜面は、後述するようにその中に位置される主ジョー移動バー６３と動作ジョー移動バー８３それぞれから各可動突起１１０とは反対側に角度を有している。
【００３６】
主ジョー３０、同期ジョー４０および動作ジョーは、それぞれ、外側面から内方に傾斜する後面に可動案内孔１００を有するマスタージョー３０ａ、および、マスタージョー３０ａの前面に強固に固定され、ワークピースを締付けるためにチャックハウジングのワークピース孔１１に向って突出する一端を有するソフトジョー３０ｂを含んでいる。
【００３７】
主ジョー移動手段６０は、主ジョー３０を移動させるために第１動作作動油チャンバー１３を備えており、第１動作作動油チャンバー１３を閉鎖するためにチャックハウジング１０の後側に位置するカバープレート６１、第１動作作動油チャンバー１３の内壁に沿って移動するために第１動作作動油チャンバー１３の内面に密着し、カバープレート６１を貫通してチャックハウジング１０の後側に向って突出し接続手段に接続される第１突起６２ａを備える本体と、前部が満たさせた第１動作作動油チャンバー１３の作動油とを有する主ピストン６２、第１動作作動油チャンバー１３を貫通して主ピストン６２の前に位置し、チャックハウジング１０の前面に向って突出し、ワークピース孔１１の中心に向って傾斜する可動突起１１０に備わる一端を有する主ジョー移動バー６３、および、主ピストン６２を弾性的に支持するために、主ピストン６２とカバープレート６１との間に位置する主ピストンリターンスプリング６４を含んでいる。
【００３８】
さらに、主ピストン６２と主ジョー移動バー６３の各外周には、第１動作作動油チャンバー１３から作動油が漏れることを防止するため、第１および第２シールリング６２ｂ，６３ａがそれぞれ取り付けられている。
【００３９】
主ジョー移動手段６０と同期化させるため、同期移動接続手段９０によって主ジョー移動手段６０に接続された同期ジョー移動手段７０は、主ジョー移動手段６０から１２０度ずつ間隔のあいた各第２動作作動油チャンバー１４に取付けられている。
【００４０】
同期ジョー移動手段７０は、第２動作作動油チャンバー１４を閉鎖するためにチャックハウジング１０の後側に位置するカバープレート６１、第２動作作動油チャンバー１４の内壁に沿って移動するために第２動作作動油チャンバー１４の内面に密着し、カバープレート６１を貫通してチャックハウジング１０の後側に向って突出し接続手段に接続される第２突起７２ａを備える本体と、前部が満たさせた第２動作作動油チャンバー１４の作動油とを有する同期ピストン７２、第２動作作動油チャンバー１４を貫通して同期ピストン７２の前に位置し、チャックハウジング１０の前面に向って突出し、ワークピース孔１１の中心に向って傾斜する可動突起１１０に備わる一端を有する同期ジョー移動バー７３、および、同期ピストン７２を弾性的に支持するために、同期ピストン７２とカバープレート６１との間に位置する同期ピストンリターンスプリング７４を含んでいる。
【００４１】
さらに、同期ピストン７２と同期ジョー移動バー７３の各外周には、第２動作作動油チャンバー１４から作動油が漏れることを防止するため、第３および第４シールリング７２ｂ，７３ａがそれぞれ取り付けられている。
【００４２】
各動作作動油チャンバーには、動作ジョー５０を移動させるための動作ジョー移動手段８０があり、その中で、動作ジョー移動手段８０は、動作作動油チャンバーを閉鎖するためにチャックハウジング１０の後側に位置するカバープレート６１、第２動作作動油チャンバー１４の内壁に沿って移動するために第２動作作動油チャンバー１４の内面に密着する本体と、前部が満たさせた主動作作動油チャンバー１２の作動油とを有する作動ピストン８２、動作作動油チャンバーを貫通して作動ピストン８２の前に位置し、チャックハウジング１０の前面に向って突出し、ワークピース孔１１の中心に向って傾斜する可動突起１１０に備わる一端を有する動作ジョー移動バー８３、および、動作ピストン８２を弾性的に支持するために、動作ピストン８２とカバープレート６１との間に位置する動作ピストンリターンスプリング８４を含んでいる。
【００４３】
さらに、動作ピストン８２と動作ジョー移動バー８３の各外周には、第２動作作動油チャンバー１４から作動油が漏れることを防止するため、第５および第６シールリング８２ｂ，８３ａがそれぞれ取り付けられている。
【００４４】
同期移動接続手段９０は、チャックハウジング１０の後側に位置し、ボルト９２にて主ジョー移動手段６０に接続された同期ジョー移動手段７０に固定された接続プレート９１を含んでいる。
【００４５】
つまり、図４を参照するように、主ピストン６２は、第１接続突起６２ａを介してボルト９２により接続プレート９１に強固に固定されており、同期ジョー移動手段７０の作動ピストン８２は、第２接続突起７２ａを介してボルト９２によって接続プレート９１に接続されている。このようにして、主ジョー移動手段６０を同期ジョー移動手段７０に接続している。
【００４６】
本発明の同期締付チャックの動作を説明する。
【００４７】
作動油がチャックハウジング１０の主作動油チャンバー１２内に満たされ、第１動作作動油チャンバー１３が主ピストン６２の前に位置し、第２動作作動油チャンバー１４が同期ピストン７２と動作ピストン８２の前に固定圧で位置している。
【００４８】
この状態において、ワークピースをワークピース孔１１内に締付けるため、作業者が孔２１ａ内に工具を配置し、上昇／下降ボルト２１が下降する方向に上昇／下降ボルト２１を回転させると、上昇／下降ボルト２１の下降に伴いマスターピストン２２は下降し、主作動油チャンバー１２内の作動油を加圧して油圧が増圧する。
【００４９】
次に、増圧した油圧は、まず主作動油チャンバー１２から第１動作作動油チャンバー１３に伝達され、チャックハウジング１０の後側に向けて主ピストン６２を後方に押す。
【００５０】
主ピストン６２が後方に移動すると、接続プレート９１を介してこれに接続された同期ピストン７２もこれと同期して（同時に）後方に移動する。
【００５１】
主ピストン６２と同期ピストン７２が後方に移動すると、主ジョー移動バー６３の可動突起１１０が主ジョー３０と動作ジョー５０との可動案内孔１００から出て、主ジョー３０と動作ジョー５０とは、可動案内孔１００の傾斜面上をスライドするワークピースの中心に向って移動し、ワークピースを締付ける。
【００５２】
主作動油チャンバー１２の増圧した油圧は、僅かな差異にて第１動作作動油チャンバー１３に近い第２動作作動油チャンバー１４に伝達され、主ピストン６２に接続されていない動作ピストンを後方に押す。
【００５３】
動作ピストン８２が後方に押されるにともない、動作ジョー５０が僅かな差異をもって継続的にワークピースを締付ける。
【００５４】
よって、主ピストン６２と同期ピストン７２とが接続されているためにワークピースとワークピース孔との中心が一致し、主作動油チャンバー１２から増圧した油圧によって主ピストン６２とともに移動するように、主ジョー３０と同期ジョー４０とが同期してワークピースを締付けワークピース孔１１の中心に位置させた後に、動作ジョー５０が僅かな差異をもってワークピースを締付けるので、本発明の同期締付チャックは、ワークピースとワークピース孔１１との中心を一致させて、ワークピースを強固に締付ける。
【００５５】
従って、チャックハウジング１０により締付けられワークピースが回転した状態にて、ワークピースの切削加工が行われると、中心が一致してワークピースが回転するので、真円の機械加工を可能にし、正確な切削加工を行うことができる。
【００５６】
このように機械加工されたワークピースの締付けを解除するとき、作業者は孔２１ａ内に工具を配置し、上昇／下降ボルト２１を上昇方向に回転させると、主作動油チャンバー１２内の油圧が減少し、主ピストン６２、同期ピストン７２および動作ピストン８２を弾性的に支持する主ピストンリターンスプリング６４、同期ピストンリターンスプリング７４および動作ピストンリターンスプリング８４の弾性力により、主ピストン６２、同期ピストン７２および動作ピストン８２がチャックハウジング１０の前側に向って移動する。
【００５７】
主ピストン６２と動作ピストン８２とが前側に向って移動すると、主ジョー３０と動作ジョー５０が可動案内孔１００の傾斜面をスライドしてチャックハウジング１０の外側に向って移動するように、主ジョー移動バー６３の可動突起１００が主ジョーと動作ジョー５０内の可動案内孔１００内に位置し、ワークピースの締付けを解除する。
【００５８】
本発明の精神や範囲から外れない限り本発明内における種々の変更や変形が可能なことは当業者にとって明白である。従って、添付した特許請求の範囲およびその均等の範囲内においてもたらされる発明の変更や変形は本発明に含まれる。
【産業上の利用可能性】
【００５９】
作動油加圧手段からの増圧した油圧による主ジョーと同期ジョーとの同期動作によって、ワークピースとワークピース孔との中心を正確に一致させて僅かな時間差なく同期してワークピースを締付けることを可能としている。
【００６０】
主ジョーと同期ジョーにてワークピースを締付けた後に、複数の動作ジョーにてワークピースを締付けることによって、ワークピースを強固に締付けることを可能としている。
【００６１】
ワークピースとワークピース孔との中心を正確に一致させてワークピースを締付けることによって、真円機械加工、および回転時の問題の著しい減少を可能とし、正確な機械加工を行うことができる。このように、本発明は非常に有用な発明である。
【図面の簡単な説明】
【００６２】
【図１】本発明の好適な実施形態に係る同期締付チャックを示す前面図である。
【図２】図１のＡ−Ａ´線断面図である。
【図３】図２のＢ−Ｂ´線断面図である。
【図４】本発明の好適な実施形態に係る同期締付チャックを示す背面図である。
【図１】
2009508705.tif 000003
【図２】
2009508705.tif 000004
【図３】
2009508705.tif 000005
【図４】
2009508705.tif 000006
【国際調査報告】
2009508705.tif 000007
2009508705.tif 000008